(57)【要約】血圧測定部位に装着するカフと、カフに加える圧力を調整する加圧・減圧手段と、カフ内の圧力を検出する圧力検出手段と、カフ圧により血圧値を算出する血圧算出手段と、血圧値を記録する記録手段と、血圧測定などの操作を行う操作手段と、現在の血圧測定時の条件に関連する情報を取得する条件情報取得手段を備え、前記記録手段は、前記条件情報取得手段により取得した前記血圧測定時の条件を血圧値とともに測定記録情報として記憶する構成であり、前記血圧測定時の条件に近い過去の測定記録情報を前記記録手段から取得する測定記録情報取得手段と、該測定記録情報取得手段により前記血圧測定時の条件に近い過去の測定記録情報を取得した場合、該測定記録情報に基づいて血圧測定パラメータを補正する補正手段とを備えた電子血圧計。
2010073692.tif 000002
【特許請求の範囲】
【請求項１】
血圧測定部位に装着するカフと、カフに加える圧力を調整する加圧・減圧手段と、カフ内の圧力を検出する圧力検出手段と、カフ圧により血圧値を算出する血圧算出手段と、
血圧値を記録する記録手段と、血圧測定などの操作を行う操作手段を備えた電子血圧計であって、
現在の血圧測定時の条件に関連する情報を取得する条件情報取得手段を備え、
前記記録手段は、前記条件情報取得手段により取得した前記血圧測定時の条件を血圧値とともに測定記録情報として記憶する構成であり、
前記血圧測定時の条件に近い過去の測定記録情報を前記記録手段から取得する測定記録情報取得手段と、
該測定記録情報取得手段により前記血圧測定時の条件に近い過去の測定記録情報を取得した場合、該測定記録情報に基づいて血圧測定パラメータを補正する補正手段とを備えた
電子血圧計。
【請求項２】
前記血圧測定時の条件を、測定日時、又は、測定時の気温とする構成である
請求項１記載の電子血圧計。
【請求項３】
前記条件情報取得手段として、前記操作手段に、前記血圧測定時の条件を入力する入力手段を設け、
該入力手段に入力した前記条件を血圧値とともに前記記録手段に記憶する構成である
請求項１記載の電子血圧計。
【請求項４】
カフを血圧測定部位に装着した時に前記カフに加える圧力を加圧・減圧手段により調整し、圧力検出手段により検出したカフ圧に基づいて、血圧算出手段により血圧値を算出する血圧測定方法であって、
現在の血圧測定時の条件に関連する情報を条件情報取得手段により取得するステップと、
前記条件情報取得手段により取得した前記血圧測定時の条件を血圧値とともに測定記録情報として記録手段に記憶するステップと、
前記血圧測定時の条件に近い過去の測定記録情報を、測定記録情報取得手段により前記記録手段から取得した場合、補正手段により、前記測定記録情報に基づいて血圧測定パラメータを補正するステップとを有する
血圧測定方法。
【請求項５】
前記補正手段により補正するステップは、前記血圧測定時の条件を、測定日時、又は、測定時の気温として、前記血圧測定パラメータを補正する
請求項４記載の血圧測定方法。
【請求項６】
前記記録手段に記憶するステップは、前記条件情報取得手段としての操作手段に入力した前記血圧測定時の条件を血圧値とともに前記記録手段に記録する
請求項４記載の血圧測定方法。
【発明の詳細な説明】
【技術分野】
【０００１】
この発明は、血圧測定部位に装着するカフと、カフ圧により血圧値を算出する血圧算出手段を備えた電子血圧計、およびこれを用いた血圧測定方法に関する。
【背景技術】
【０００２】
血圧は、循環器系疾患を解析する指標の一つである。血圧に基づいてリスク解析を行うことは、たとえば脳卒中や心不全や心筋梗塞などの心血管系の疾患の予防に有効である。このリスク解析を行うための診断は、従来、通院時や健康診断時などの医療機関で測定される血圧（随時血圧）により行われていた。しかし、近年の研究により、家庭で測定する血圧（家庭血圧）が随時血圧より循環器系疾患の診断に有用であることが判明してきた。それに伴い、家庭で使用する血圧計が普及している。【０００３】
現在普及している電子血圧計は、そのほとんどがオシロメトリック方式、または、マイクロホン方式の血圧算出アルゴリズムを用いている。【０００４】
オシロメトリック方式では、カフ圧を所定の圧力（たとえば、収縮期血圧＋３０ｍｍＨｇ）まで加圧した後、所定の速度（減圧速度）で徐々に減圧していく際に発生する動脈容積変化を圧脈波振幅として検出し、その圧脈波振幅の変化に対し、所定のアルゴリズムを適用して血圧値を算出する。また、カフ圧を所定の速度（加圧速度）で徐々に加圧していく際に発生する動脈容積変化を圧脈波振幅として検出し、その圧脈波振幅の変化に対し、所定のアルゴリズムを適用して血圧値を算出することも可能である。【０００５】
一方、マイクロホン方式では、カフ圧を所定の圧力（たとえば、収縮期血圧＋３０ｍｍＨｇ）まで加圧した後、所定の速度（減圧速度）で徐々に減圧していく際に発生するコロトコフ音の発生、および、減弱・消滅をカフ内に設けられたマイクロホンで検出することで収縮期血圧・拡張期血圧を決定する。【０００６】
いずれの血圧算出方式においても、前記加圧値は収縮期血圧より十分高いカフ圧（たとえば、収縮期血圧＋３０ｍｍＨｇ）まで加圧する必要がある。また、前記減圧速度および加圧速度は、圧脈波振幅やコロトコフ音の情報のとりこぼしがないように設定する必要がある。具体的には被測定者の脈拍数に応じて減圧速度または加圧速度を設定する必要があった。【０００７】
（加圧値の従来技術）  
これまでの血圧計では、（１）測定前に加圧値を切り替えスイッチにより設定する（下記特許文献１参照）、（２）加圧中に収縮期血圧を推定し、推定された収縮期血圧に所定圧（たとえば３０ｍｍＨｇ）加算した圧を加圧値とする（下記特許文献２、３参照）、（３）前回までの測定の収縮期血圧値の平均値に所定圧（たとえば３０ｍｍＨｇ）加算した圧を加圧値とする（下記特許文献４参照）、などの方法がとられていた。
【先行技術文献】
【特許文献】
【０００８】
【特許文献１】特開昭６２−６６８３５号公報
【特許文献２】特許第２８４２６９６号公報
【特許文献３】特許第３３９３４３２号公報
【特許文献４】特開２００５−１８５６８１号公報
【発明の概要】
【発明が解決しようとする課題】
【０００９】
ところで血圧は、測定する時間、曜日、季節、環境、ストレス、疾病、生活習慣に関連する各種行動（食事、運動、喫煙、安静）などの要因によって大きく変化する。そのため、（１）の方法ではあらかじめ自分の収縮期血圧を知っておく必要があるが、前述のとおり測定の度に血圧は大きく変動しているため、前回測定した血圧値に基づいて加圧値を設定しても、必ずしも正しく設定されるとは限らない。【００１０】
また、（３）の方法も同様であり、複数の測定結果の平均値などを用いたとしても、必ずしも正しく設定されるとは限らない。【００１１】
また、カフ圧を減圧していく過程で血圧を算出する場合、正確な血圧測定のためには、カフ圧の加圧をできる限り高速で行う必要がある。【００１２】
これは、加圧を低速で行った場合、動脈が完全に閉塞されるまでに測定部位より末梢側（上腕測定の場合は前腕）に血液が溜まり（鬱血）、正確な測定が不可能になるためである。そのため、加圧速度は可能な限り高速に設定されることになるが、その結果、加圧中に得られる脈波情報が少なくなり、（２）の方法では、推定される収縮期血圧の誤差は大きくなるため、加圧値を正しく設定できないことがあった。【００１３】
この発明は、上述の問題に鑑み、血圧測定時の条件に近い過去の測定記録情報に基づいて血圧測定パラメータを補正することにより、利用者ごとに最適な血圧測定パラメータを設定可能な電子血圧計および血圧測定方法を提供し、利用者の満足度を向上させることを目的とする。
【課題を解決するための手段】
【００１４】
この発明は、血圧測定部位に装着するカフと、カフに加える圧力を調整する加圧・減圧手段と、カフ内の圧力を検出する圧力検出手段と、カフ圧により血圧値を算出する血圧算出手段と、血圧値を記録する記録手段と、血圧測定などの操作を行う操作手段を備えた電子血圧計であって、現在の血圧測定時の条件に関連する情報を取得する条件情報取得手段を備え、前記記録手段は、前記条件情報取得手段により取得した前記血圧測定時の条件を血圧値とともに測定記録情報として記憶する構成であり、前記血圧測定時の条件に近い過去の測定記録情報を前記記録手段から取得する測定記録情報取得手段と、該測定記録情報取得手段により前記血圧測定時の条件に近い過去の測定記録情報を取得した場合、該測定記録情報に基づいて血圧測定パラメータを補正する補正手段とを備えた電子血圧計であることを特徴とする。【００１５】
前記血圧測定パラメータは、加圧設定値とすることができる。  
前記血圧測定パラメータは、減圧速度とすることができる。  
前記血圧測定パラメータは、加圧速度とすることができる。  【００１６】
前記血圧測定時の条件を設定する際に使用される測定記録は、現在の測定条件に近い測定記録のうち、最新の記録によることを特徴とすることができる。  
前記血圧測定時の条件を設定する際に使用される測定記録は、現在の測定条件に近い測定記録のうち、最新より複数個の記録の統計演算結果によることを特徴とすることができる。  
前記血圧測定時の条件を設定する際に使用される測定記録は、現在の測定条件に近い測定記録のうち、全ての記録の統計演算結果によることを特徴とすることができる。  
この発明により、利用者ごとに最適な血圧測定パラメータを設定することができる。【００１７】
この発明の態様として、前記血圧測定時の条件を、測定日時、又は、測定時の気温とする構成とすることができる。【００１８】
またこの発明の態様として、前記条件情報取得手段として、前記操作手段に、前記血圧測定時の条件を入力する入力手段を設け、該入力手段に入力した前記条件を血圧値とともに前記記録手段に記憶する構成とすることができる。【００１９】
前記血圧測定時の条件は、測定場所、疾病情報、服薬状況、運動内容、生活習慣情報といった測定条件とすることができる。  
前記生活習慣情報は、食事前、食事後、運動後、喫煙後、安静（休憩）時などの各種情報とすることができる。【００２０】
またこの発明は、カフを血圧測定部位に装着した時に前記カフに加える圧力を加圧・減圧手段により調整し、圧力検出手段により検出したカフ圧に基づいて、血圧算出手段により血圧値を算出する血圧測定方法であって、現在の血圧測定時の条件に関連する情報を条件情報取得手段により取得するステップと、前記条件情報取得手段により取得した前記血圧測定時の条件を血圧値とともに測定記録情報として記録手段に記憶するステップと、前記血圧測定時の条件に近い過去の測定記録情報を、測定記録情報取得手段により前記記録手段から取得した場合、補正手段により、前記測定記録情報に基づいて血圧測定パラメータを補正するステップとを有する血圧測定方法とすることができる。  
この発明により、利用者ごとに最適な血圧測定パラメータを設定する処理を実行することができる。【００２１】
この発明の態様として、前記補正手段により補正するステップが、前記血圧測定時の条件を、測定日時、又は、測定時の気温として、前記血圧測定パラメータを補正することができる。【００２２】
またこの発明の態様として、前記記録手段に記憶するステップが、前記条件情報取得手段としての操作手段に入力した前記血圧測定時の条件を血圧値とともに前記記録手段に記録することができる。
【発明の効果】
【００２３】
この発明により、利用者ごとに最適な血圧測定パラメータを設定可能な電子血圧計および血圧測定方法を提供し、利用者の満足度を向上させることができる。
【図面の簡単な説明】
【００２４】
【図１】本発明の実施例に係る電子血圧計の構成を示すブロック図。
【図２】本発明の実施例における血圧測定動作の一例を示すフローチャート。
【図３】日時・測定値・測定条件（服薬状況）と関連づけたデータを示すテーブル。
【図４】日時・測定値・測定時気温と関連づけたデータを示すテーブル。
【図５】日時・測定値・測定条件（生活習慣情報）と関連づけたデータを示すテーブル。
【図６】日時・測定値・測定条件（測定場所）と関連づけたデータを示すテーブル。
【発明を実施するための形態】
【００２５】
以下、この発明の一実施形態を図面と共に説明する。  
【実施例】
【００２６】
本実施例の電子血圧計２６００は、図１に示すように、カフ２１０１、エア管２１０２、圧力センサ２１０３、ポンプ２１０４、弁２１０５、発振回路２１１１、ポンプ駆動回路２１１２、弁駆動回路２１１３、計時部２１１５、電源２１１６、ＣＰＵ２１２０、表示部２１２１、メモリ（処理用）２１２２、メモリ（記録用）２１２３、操作部２６３０、インターフェイス２１７１、記録媒体２１７２を備えている。  
なお、図１は、本実施例の電子血圧計２６００の構成を示すブロック図である。【００２７】
カフ２１０１は、エア管２１０２に接続され、空気圧により加圧するために利用者の血圧測定部位に装着される帯状の部材である。【００２８】
圧力センサ２１０３は、静電容量型の圧力センサであり、カフ内の圧力（カフ圧）に応じて容量値が変化する。【００２９】
ポンプ２１０４、及び、弁２１０５は、カフ内に圧力を付与するとともにカフ内の圧力を調節（制御）する。  
発振回路２１１１は、圧力センサ２１０３の容量値に応じた周波数の信号を出力する。  
ポンプ駆動回路２１１２、及び、弁駆動回路２１１３は、それぞれポンプ２１０４、弁２１０５を駆動する。【００３０】
計時部２１１５は、現在日時を計時する装置であり、必要に応じて計時した日時をＣＰＵ２１２０へ送信する。  
電源２１１６は、各構成部に電力供給を行なう。【００３１】
ＣＰＵ２１２０は、ポンプ２１０４、弁２１０５、表示部２１２１、メモリ２１２２，２１２３、操作部２６３０、インターフェイス２１７１の制御と血圧決定処理と記録値の管理を実行する。【００３２】
表示部２１２１は、液晶画面などの表示装置によって構成され、ＣＰＵ２１２０から送られる信号に従って血圧値を表示する。【００３３】
メモリ（処理用）２１２２は、血圧計の制御プログラムなどを格納する。【００３４】
メモリ（記録用）２１２３は、血圧値を記憶するとともに、日時・測定値・測定条件を関連して記憶する。【００３５】
操作部２６３０は、電源スイッチ２１３１、測定スイッチ２１３２、停止スイッチ２１３３、記録呼び出しスイッチ２１４１に加え、測定条件を入力する測定条件入力スイッチ２６４１を備えており、血圧計の電源ＯＮ／ＯＦＦ・測定開始などの操作入力を許容し、入力された入力信号をＣＰＵ２１２０へ送る。  
インターフェイス２１７１は、ＣＰＵ２１２０の制御に従って記録媒体２１７２に対し血圧値を記録／読み出しを実行する。【００３６】
前記測定条件入力スイッチ２６４１は、測定条件として服薬後であるか否かといった服薬状況の入力を許容可能に構成している。【００３７】
このように構成された電子血圧計２６００を用いた血圧測定動作について、図２のフローチャートに従い説明する。  
なお、図２は、本実施例における血圧測定動作の一つを示すフローチャートである。【００３８】
まず、血圧計の電源スイッチが押されると（ステップＳ２６０１）、ＣＰＵ２１２０は、血圧計の作業用メモリを初期化し、圧力センサ２１０３の０ｍｍＨｇ調整を行う（ステップＳ２６０２）。【００３９】
初期化処理が終了すると、服薬後などの測定条件が入力され（ステップＳ２６０３）、測定スイッチが押下されると（ステップＳ２６０４）、ＣＰＵ２１２０は、計時部２１１５より現在日時を取得し（ステップＳ２６０５）、加圧値・加圧速度・減圧速度などの血圧測定パラメータのいずれか１つ以上を決定する（ステップＳ２６０６）。ステップＳ２６０６での血圧測定パラメータの決定方法は後述する。【００４０】
次に、ポンプ２１０４により所定の加圧値までカフ圧を加圧する（ステップＳ２６０７〜Ｓ２６０８）。ここでの加圧速度および加圧値は、ステップＳ２６０６で決定された加圧速度および加圧値を用いる。  
所定の加圧値まで加圧した後、ＣＰＵ２１２０は、弁２１０５により徐々にカフ圧を減圧していく（ステップＳ２６０９）。ＣＰＵ２１２０は、減圧中に得られるカフ圧に重畳した動脈の容積変化に伴う圧変化成分を抽出し、所定の演算により血圧を算出する（ステップＳ２６１０）。血圧を算出した後（ステップＳ２６１１：ＹＥＳ）、ＣＰＵ２１２０は、弁２１０５を開放しカフ内の空気を排気する。ＣＰＵ２１２０は、算出した血圧値を表示部２１２１に表示するとともに（ステップＳ２６１２）、日時・測定値・測定条件（服薬状況）と関連づけてメモリ（記録用）２１２３に記録する（ステップＳ２６１３）。【００４１】
ステップＳ２６０６では、ＣＰＵ２１２０は、血圧測定パラメータを次のようにして決定する。  
（血圧測定パラメータが加圧値である場合）  
加圧値は一般的に収縮期血圧より十分に高いカフ圧に設定する必要がある。具体的には収縮期血圧＋３０ｍｍＨｇ程度まで加圧する必要がある。  
そこで、記録されている測定データをもとに加圧値を設定する。詳しくは、ＣＰＵ２１２０は、メモリ（記録用）２１２３に記録されている図３に示すようなテーブルを呼び出す。ここで、メモリ（記録用）２１２３に記録されているテーブルとしては、図３に示すように、測定日時（図中の「ＹＹ（年）／ＭＭ（月）／ＤＤ（日）」…、「ｈｈ（時）：ｍｍ（分）」…）と、服薬状況（図中の測定条件「服薬後」）と、血圧値・脈拍数などの各測定値（図中の「ＳＹＳ１（収縮期血圧）」、「ＤＩＡ１（拡張期血圧）」、「ＰＬＳ１（脈拍数）」）とを関連付けて記録したものが用いられている。【００４２】
そして、ＣＰＵ２１２０は、このテーブルに記録されている測定データのうち、現在の測定日時に最も近く、また／あるいは、服薬後であるか否かといった服薬状況などを示す測定条件が同一のデータを抽出する。【００４３】
ＣＰＵ２１２０は、上記条件に合致する測定データの内、最新のデータの収縮期血圧に３０ｍｍＨｇを加算した圧力を、加圧値とする。【００４４】
ここで前記測定日時に最も近いとは、たとえば測定月が同一である、同一週の測定である、同一曜日の測定である、同一時間の測定である、などのうち、少なくとも１つ以上の条件が一致することを示す。【００４５】
また、上述したように、上記条件に合致する測定データの内、最新のデータの収縮期血圧を用いるに限らず、上記条件に合致する複数の測定データの収縮期血圧の平均値を用い、該平均値に３０ｍｍＨｇを加算した圧力を加圧値としても良い。【００４６】
もしくは、上記条件に合致する複数の測定データの収縮期血圧の代表値を用い、該代表値に３０ｍｍＨｇを加算した圧力を加圧値としてもよい。  
ここでの代表値とは、複数データの最大値、中央値などとすれば良い。【００４７】
さらにまた、血圧計の初回使用時など、測定条件に合致する測定データが存在しない場合は、予め決定されている加圧値（たとえば１８０ｍｍＨｇ）を設定すればよい。または、前記特許文献２、３に記載されているように、加圧中に収縮期血圧を推定し、その推定値に３０ｍｍＨｇを加算した圧力値としてもよい。【００４８】
（血圧測定パラメータが減圧速度である場合）  
減圧速度は、脈波振幅情報が血圧算出に必要な数だけ過不足なく取得できる速度に設定する必要がある。この脈波振幅情報の必要な数は、特許第３１４９８７３号公報に記載されているように、５個以上が妥当である。これを満足する減圧速度も同特許番号に記載されているように、収縮期血圧（ＳＹＳ）、拡張期血圧（ＤＩＡ）、脈拍数（ＰＬＳ）より算出可能である。【００４９】
そこで、加圧値と同様に、記録されている測定データより現在の測定日時に最も近く、また／あるいは、測定条件が同一のデータを抽出し、このデータに記録されている収縮期血圧、拡張期血圧、脈拍数をもとにして減圧速度を算出すればよい。【００５０】
加圧値同様に、血圧計の初回使用時など、測定条件に合致する測定データが存在しない場合は、予め決定されている減圧速度（たとえば５．５ｍｍＨｇ／ｓｅｃ）を設定すればよい。または、特許第３１４９８７３号公報に記載されているように、加圧中に収縮期血圧、拡張期血圧、脈拍数を推定し、その推定値より算出した減圧速度としてもよい。【００５１】
本実施例の血圧計は、減圧中に血圧を算出する方式としているが、加圧中に血圧を算出する方式の血圧計にも適用可能である。  
その場合、減圧速度ではなく加圧速度を決定すればよい。決定の方法は減圧速度と同様であるため、その説明を省略する。【００５２】
また、血圧は、測定する際の気温など、周辺環境によって変化する。そこで、前述した電子血圧計では、服薬状況を測定条件として血圧を測定したが、測定条件は、服薬状況に限らず、例えば、測定日時、又は、測定時の気温であってもよい。この場合、例えば、図４に示すように、測定日時と、測定時における気温（図中の測定時気温「２５℃」…）と、血圧値・脈拍数などの各測定値とを関連付けたテーブルをメモリ２１２３に記録する。なお、気温は、日（季節）、時間によって変化するものであるため、メモリ２１２３には、測定日時と各測定値のみを関連付けて記録してもよい。【００５３】
また、この場合、測定条件入力スイッチ２６４１を用いて利用者が気温の情報を入力するような構成としてもよいし、電子血圧計２６００に温度計測手段を内蔵させ、該手段の検出結果に基づいて気温の情報を取得するような構成としてもよい。【００５４】
また、前記測定条件は、服薬状況に限らず、例えば、服用している薬の種類など服薬に関する情報であってもよく、さらにまた、該服薬情報、測定場所、疾病情報、どのような運動をどの程度行なったかといった運動内容情報、食事、運動、喫煙、安静（休憩）などに関連する生活習慣情報のうち、少なくとも１つを測定条件として用いることができるよう構成してもよい。この場合、測定条件入力スイッチ２６４１は、上述した各種情報が入力可能となるよう構成されている。【００５５】
例えば、血圧は、生活習慣に関連する各種行動によって変化し、食事前と食事後、運動後と安静時、喫煙前と喫煙後とでは血圧に差が生じる。そこで、メモリ２１２３に記録するテーブルとして、図５に示すように、測定日時（図中の「Ｙ１（年）／Ｍ１（月）／Ｄ１（日）」…、「ｈ１（時）：ｍ１（分）」…）と、生活習慣情報（図中の測定条件「食事後」、「運動後」、「喫煙後」、「安静時」…）と、血圧値・脈拍数などの各測定値とを関連付けたものを用いてもよい。【００５６】
また、血圧は、利用者が測定時に受ける精神的なストレスによって差が生じる。このため、血圧は、測定条件の１つである測定場所によっても差が生じると考えられる。例えば、自宅にいる時はストレスがさほどかかっていないリラックス状態にある一方、勤務先では大きなストレスがかかっている状態にあることが多く、それ故自宅で血圧測定を行なう時と勤務先で血圧測定を行なう時とでは測定結果に差が生じる可能性がある。【００５７】
そこで、メモリ２１２３に記録するテーブルとして、図６に示すように、測定日時と、測定場所（図中の測定場所「自宅」、「勤務先」、「病院」…）と、血圧値・脈拍数などの各測定値とを関連付けたものを用いてもよい。【００５８】
以上説明したように、血圧値を測定する生体情報取得手段と、血圧値を記録する記録手段（メモリ２１２３）と、血圧計の制御プログラムなど格納する手段（メモリ２１２２）と、血圧測定などの操作を行う操作手段（操作部２６３０）と、前記生体情報取得手段により取得する生体情報を別途取得する補正用情報に基づいて補正する補正手段（ＣＰＵ２１２０）と、該補正後の補正後情報（血圧値）を出力する出力手段（表示部２１２１）とを備え、血圧測定部位に装着するカフ２１０１と、カフ２１０１に加える圧力を調整する加圧・減圧手段２１０４，２１０５と、カフ内の圧力を検出する圧力検出手段（圧力センサ２１０３）と、カフ圧により血圧値を算出する血圧算出手段（ＣＰＵ２１２０）を備えた電子血圧計２６００であって、現在の血圧測定時の条件に関連する情報を取得する条件情報取得手段（測定条件入力スイッチ２６４１）を備え、前記記録手段は、前記条件情報取得手段により取得した前記血圧測定時の条件を血圧値とともに測定記録情報として記憶する構成であり、前記補正用情報として、血圧測定時の条件に近い過去の測定記録情報を前記記録手段から取得する測定記録情報取得手段（ステップＳ２６０６を実行するＣＰＵ２１２０）を備え、前記補正手段（ステップＳ２６０６を実行するＣＰＵ２１２０）は、血圧測定時の条件に近い過去の測定記録情報に基づいて血圧測定パラメータを補正する構成である。【００５９】
前記構成により、利用者ごとに最適な血圧測定パラメータを設定可能という効果が得られる。【００６０】
また、前記血圧測定時の条件を、測定日時、又は、測定時の気温として、血圧測定パラメータを補正することにより、測定時の周辺環境（ここでは気温）の違いによる血圧の変化に応じて適切な血圧測定パラメータを設定することができる。【００６１】
また、前記条件情報取得手段として、操作部２６３０に、前記血圧測定時の条件を入力する入力手段としての測定条件入力スイッチ２６４１を設け、該測定条件入力スイッチ２６４１に入力した前記条件を血圧値とともにメモリ２１２３に記録する構成としたことにより、血圧が変化する要因に関連性のある各種情報を容易に取得することができ、これによって各要因を考慮した適切な血圧測定パラメータを設定することができる。【００６２】
なお、本実施例では、血圧測定時の条件である服薬状況、気温、生活習慣情報、測定場所などの中から１つのものに着目して血圧測定パラメータを補正することとしたが、必ずしもこれに限定されるものではなく、上述した各種測定条件のいくつかを組合せてもよい。この場合、様々な測定条件が合致した測定記録情報を用いることで、より適切な血圧測定パラメータを設定することができる。【００６３】
このように、複数の測定条件が合致した測定記録情報を用いる構成とする場合には、合致する測定条件が多い測定記録情報ほど優先的に抽出するようにすればよい。【００６４】
但し、例えば、服薬状況やその他いくつかの測定条件が合致していたとしても、測定時間（朝、夜）や、測定のタイミング（食事後、食事前など）が異なっていれば、血圧値に差が生じる可能性がある。【００６５】
そこで、ある特定の条件及び他のいくつかの条件が合致する測定記録情報であっても、ある特定の他の条件が異なっていれば抽出の対象外とするようにしてもよい。この場合、合致する測定条件と、条件が異なっていた場合に抽出対象外と判定される測定条件とを関連付けたテーブルをメモリ２１２３などに記録し、ＣＰＵ２１２１は、抽出対象外と判定される測定条件が異なっていた場合、その測定記録情報を抽出対象外と判定すればよい。【００６６】
本実施例の電子血圧計２６００は、上述したように、前記操作手段（操作部２６３０）に、測定条件を入力する入力手段（測定条件入力スイッチ２６４１）を設け、測定場所、疾病情報、服薬状況、運動といった測定条件を血圧値とともに前記記録手段（メモリ２１２２，２１２３）に記録することができる。【００６７】
この発明は、上述の実施形態の構成のみに限定されるものではなく、多くの実施の形態を得ることができる。【００６８】
例えば、電子血圧計２６００は、専用のサーバから適宜のパラメータ、閾値、アルゴリズムなどをダウンロードして機能を拡張できるように構成してもよい。この場合、ハードウェアはそのままでソフトウェアをバージョンアップすることや、利用者自身に最適化することを容易に実現できる。【００６９】
また、電子血圧計２６００の機能拡張は、前記サーバを用いず、利用者が所有するパーソナルコンピュータ等のユーザ端末から実行する構成にしてもよい。この場合、ＣＤ−ＲＯＭなどの記録媒体からパラメータ、閾値、アルゴリズムなどをダウンロードする構成にしてもよい。【００７０】
また、電子血圧計２６００を、体組成計、歩数計、電子体温計といった他の生体情報取得装置と直接無線または有線で通信可能に接続してもよい。この場合も、相互にデータを送受信して個々の精度を向上させることができる。
【産業上の利用可能性】
【００７１】
この発明は、カフを用いるオシロメトリック方式、または、マイクロホン方式を採用した電子血圧計に利用することができる。
【符号の説明】
【００７２】
２６００…電子血圧計、２１０１…カフ、２１０３…圧力センサ、２１０４…ポンプ、２１０５…弁、２１１５…計時部、２１２０…ＣＰＵ、２１２１…表示部、２１２２…メモリ（処理用）、２１２３…メモリ（記録用）、２６３０…操作部、２６４１…測定条件入力スイッチ
【図１】
2010073692.tif 000003
【図２】
2010073692.tif 000004
【図３】
2010073692.tif 000005
【図４】
2010073692.tif 000006
【図５】
2010073692.tif 000007
【図６】
2010073692.tif 000008
【手続補正書】
【提出日】平成22年7月23日(2010.7.23)
【手続補正１】
【補正対象書類名】特許請求の範囲
【補正対象項目名】全文
【補正方法】変更
【補正の内容】
【特許請求の範囲】
【請求項１】
血圧測定部位に装着するカフと、カフに加える圧力を調整する加圧・減圧手段と、カフ内の圧力を検出する圧力検出手段と、カフ圧により血圧値を算出する血圧算出手段と、
血圧値を記録する記録手段と、血圧測定などの操作を行う操作手段を備えた電子血圧計であって、
現在の血圧測定時の複数種類の各種測定条件に関連する情報を取得する条件情報取得手段を備え、
前記記録手段は、前記条件情報取得手段により取得した前記血圧測定時の前記各種測定条件を血圧値とともに測定記録情報として記憶する構成であり、
前記血圧測定時の各種測定条件に近い過去の測定記録情報を前記記録手段から取得する測定記録情報取得手段と、
該測定記録情報取得手段により前記血圧測定時の条件に近い過去の測定記録情報を取得した場合、該測定記録情報に基づいて血圧測定パラメータを補正する補正手段とを備え、
前記測定記録情報取得手段は、
合致する測定条件が多い測定記録情報ほど優先的に抽出する構成である電子血圧計。
【請求項２】
前記測定記録情報取得手段は、
ある特定の条件及び他のいくつかの条件が合致する測定記録情報であっても、ある特定の他の条件が異なっていれば抽出の対象外とする構成である
請求項１記載の電子血圧計。
【請求項３】
前記記録手段は、
合致する測定条件と、条件が異なっていた場合に抽出対象外と判定される測定条件とを関連付けて記憶する構成である
請求項２記載の電子血圧計。
【請求項４】
カフを血圧測定部位に装着した時に前記カフに加える圧力を加圧・減圧手段により調整し、圧力検出手段により検出したカフ圧に基づいて、血圧算出手段により血圧値を算出する血圧測定方法であって、
現在の血圧測定時の複数種類の各種測定条件に関連する情報を条件情報取得手段により取得するステップと、
前記条件情報取得手段により取得した前記血圧測定時の前記各種測定条件を血圧値とともに測定記録情報として記録手段に記憶するステップと、
前記血圧測定時の前記各種測定条件に近い過去の測定記録情報を、測定記録情報取得手段により前記記録手段から取得した場合、補正手段により、前記測定記録情報に基づいて血圧測定パラメータを補正するステップとを有し、
前記測定記録情報取得手段により前記各種測定条件に近い測定記録情報を取得するステップは、合致する測定条件が多い測定記録情報ほど優先的に抽出する構成である
血圧測定方法。
【請求項５】
前記測定記録情報取得手段により前記各種測定条件に近い測定記録情報を取得するステップは、
ある特定の条件及び他のいくつかの条件が合致する測定記録情報であっても、ある特定の他の条件が異なっていれば抽出の対象外とする構成である
請求項４記載の血圧測定方法。
【請求項６】
前記記録手段に記憶するステップは、
合致する測定条件と、条件が異なっていた場合に抽出対象外と判定される測定条件とを関連付けて記憶する構成である
請求項５記載の血圧測定方法。
【手続補正２】
【補正対象書類名】明細書
【補正対象項目名】０００３
【補正方法】変更
【補正の内容】
【０００３】
［００１０］
また、（３）の方法も同様であり、複数の測定結果の平均値などを用いたとしても、必ずしも正しく設定されるとは限らない。
［００１１］
また、カフ圧を減圧していく過程で血圧を算出する場合、正確な血圧測定のためには、カフ圧の加圧をできる限り高速で行う必要がある。
［００１２］
これは、加圧を低速で行った場合、動脈が完全に閉塞されるまでに測定部位より末梢側（上腕測定の場合は前腕）に血液が溜まり（鬱血）、正確な測定が不可能になるためである。そのため、加圧速度は可能な限り高速に設定されることになるが、その結果、加圧中に得られる脈波情報が少なくなり、（２）の方法では、推定される収縮期血圧の誤差は大きくなるため、加圧値を正しく設定できないことがあった。
［００１３］
この発明は、上述の問題に鑑み、血圧測定時の条件に近い過去の測定記録情報に基づいて血圧測定パラメータを補正することにより、利用者ごとに最適な血圧測定パラメータを設定可能な電子血圧計および血圧測定方法を提供し、利用者の満足度を向上させることを目的とする。
課題を解決するための手段
［００１４］
この発明は、血圧測定部位に装着するカフと、カフに加える圧力を調整する加圧・減圧手段と、カフ内の圧力を検出する圧力検出手段と、カフ圧により血圧値を算出する血圧算出手段と、血圧値を記録する記録手段と、血圧測定などの操作を行う操作手段を備えた電子血圧計であって、現在の血圧測定時の複数種類の各種測定条件に関連する情報を取得する条件情報取得手段を備え、前記記録手段は、前記条件情報取得手段により取得した前記血圧測定時の前記各種測定条件を血圧値とともに測定記録情報として記憶する構成であり、前記血圧測定時の各種測定条件に近い過去の測定記録情報を前記記録手段から取得する測定記録情報取得手段と、該測定記録情報取得手段により前記血圧測定時の条件に近い過去の測定記録情報を取得した場合、該測定記録情報に基づいて血圧測定パラメータを補正する補正手段とを備え、前記測定記録情報取得手段は、合致する測定条件が多い測定記録情報ほど優先的に抽出する構成である電子血圧計であることを特徴とする。
【手続補正３】
【補正対象書類名】明細書
【補正対象項目名】０００４
【補正方法】変更
【補正の内容】
【０００４】
［００１５］
前記血圧測定パラメータは、加圧設定値とすることができる。
前記血圧測定パラメータは、減圧速度とすることができる。
前記血圧測定パラメータは、加圧速度とすることができる。
［００１６］
前記血圧測定時の条件を設定する際に使用される測定記録は、現在の測定条件に近い測定記録のうち、最新の記録によることを特徴とすることができる。
前記血圧測定時の条件を設定する際に使用される測定記録は、現在の測定条件に近い測定記録のうち、最新より複数個の記録の統計演算結果によることを特徴とすることができる。
前記血圧測定時の条件を設定する際に使用される測定記録は、現在の測定条件に近い測定記録のうち、全ての記録の統計演算結果によることを特徴とすることができる。
この発明により、利用者ごとに最適な血圧測定パラメータを設定することができる。
［００１７］
この発明の態様として、前記測定記録情報取得手段は、ある特定の条件及び他のいくつかの条件が合致する測定記録情報であっても、ある特定の他の条件が異なっていれば抽出の対象外とする構成とすることができる。
［００１８］
またこの発明の態様として、前記記録手段は、合致する測定条件と、条件が異なっていた場合に抽出対象外と判定される測定条件とを関連付けて記憶する構成とすることができる。
［００１９］
前記血圧測定時の条件は、測定場所、疾病情報、服薬状況、運動内容、生活習慣情報といった測定条件とすることができる。
前記生活習慣情報は、食事前、食事後、運動後、喫煙後、安静（休憩）時などの各種情報とすることができる。
［００２０］
またこの発明は、カフを血圧測定部位に装着した時に前記カフに加える圧力を加圧・減圧手段により調整し、圧力検出手段により検出したカフ圧に基づいて、血圧算出手段により血圧値を算出する血圧測定方法であって、現在の血圧測定時の複数種類の各種測定条件に関連する情報を条件情報取得手段
【手続補正４】
【補正対象書類名】明細書
【補正対象項目名】０００５
【補正方法】変更
【補正の内容】
【０００５】
により取得するステップと、前記条件情報取得手段により取得した前記血圧測定時の前記各種測定条件を血圧値とともに測定記録情報として記録手段に記憶するステップと、前記血圧測定時の前記各種測定条件に近い過去の測定記録情報を、測定記録情報取得手段により前記記録手段から取得した場合、補正手段により、前記測定記録情報に基づいて血圧測定パラメータを補正するステップとを有し、前記測定記録情報取得手段により前記各種測定条件に近い測定記録情報を取得するステップは、合致する測定条件が多い測定記録情報ほど優先的に抽出する構成である血圧測定方法とすることができる。
この発明により、利用者ごとに最適な血圧測定パラメータを設定する処理を実行することができる。
［００２１］
この発明の態様として、前記測定記録情報取得手段により前記各種測定条件に近い測定記録情報を取得するステップは、ある特定の条件及び他のいくつかの条件が合致する測定記録情報であっても、ある特定の他の条件が異なっていれば抽出の対象外とする構成とすることができる。
［００２２］
またこの発明の態様として、前記記録手段に記憶するステップは、合致する測定条件と、条件が異なっていた場合に抽出対象外と判定される測定条件とを関連付けて記憶する構成とすることができる。
発明の効果
［００２３］
この発明により、利用者ごとに最適な血圧測定パラメータを設定可能な電子血圧計および血圧測定方法を提供し、利用者の満足度を向上させることができる。
図面の簡単な説明
［００２４］
［図１］本発明の実施例に係る電子血圧計の構成を示すブロック図。
［図２］本発明の実施例における血圧測定動作の一例を示すフローチャート。
［図３］日時・測定値・測定条件（服薬状況）と関連づけたデータを示すテーブル。
［図４］日時・測定値・測定時気温と関連づけたデータを示すテーブル。
［図５］日時・測定値・測定条件（生活習慣情報）と関連づけたデータを示すテーブル。
［図６］日時・測定値・測定条件（測定場所）と関連づけたデータを示すテーブル。
発明を実施するための形態
［００２５］
以下、この発明の一実施形態を図面と共に説明する。
【手続補正書】
【提出日】平成23年3月25日(2011.3.25)
【手続補正１】
【補正対象書類名】明細書
【補正対象項目名】全文
【補正方法】変更
【補正の内容】
【発明の詳細な説明】
【技術分野】
【０００１】
この発明は、血圧測定部位に装着するカフと、カフ圧により血圧値を算出する血圧算出手段を備えた電子血圧計、およびこれを用いた血圧測定方法に関する。
【背景技術】
【０００２】
血圧は、循環器系疾患を解析する指標の一つである。血圧に基づいてリスク解析を行うことは、たとえば脳卒中や心不全や心筋梗塞などの心血管系の疾患の予防に有効である。このリスク解析を行うための診断は、従来、通院時や健康診断時などの医療機関で測定される血圧（随時血圧）により行われていた。しかし、近年の研究により、家庭で測定する血圧（家庭血圧）が随時血圧より循環器系疾患の診断に有用であることが判明してきた。それに伴い、家庭で使用する血圧計が普及している。
【０００３】
現在普及している電子血圧計は、そのほとんどがオシロメトリック方式、または、マイクロホン方式の血圧算出アルゴリズムを用いている。
【０００４】
オシロメトリック方式では、カフ圧を所定の圧力（たとえば、収縮期血圧＋３０ｍｍＨｇ）まで加圧した後、所定の速度（減圧速度）で徐々に減圧していく際に発生する動脈容積変化を圧脈波振幅として検出し、その圧脈波振幅の変化に対し、所定のアルゴリズムを適用して血圧値を算出する。また、カフ圧を所定の速度（加圧速度）で徐々に加圧していく際に発生する動脈容積変化を圧脈波振幅として検出し、その圧脈波振幅の変化に対し、所定のアルゴリズムを適用して血圧値を算出することも可能である。
【０００５】
一方、マイクロホン方式では、カフ圧を所定の圧力（たとえば、収縮期血圧＋３０ｍｍＨｇ）まで加圧した後、所定の速度（減圧速度）で徐々に減圧していく際に発生するコロトコフ音の発生、および、減弱・消滅をカフ内に設けられたマイクロホンで検出することで収縮期血圧・拡張期血圧を決定する。
【０００６】
いずれの血圧算出方式においても、前記加圧値は収縮期血圧より十分高いカフ圧（たとえば、収縮期血圧＋３０ｍｍＨｇ）まで加圧する必要がある。また、前記減圧速度および加圧速度は、圧脈波振幅やコロトコフ音の情報のとりこぼしがないように設定する必要がある。具体的には被測定者の脈拍数に応じて減圧速度または加圧速度を設定する必要があった。
【０００７】
（加圧値の従来技術）  
これまでの血圧計では、（１）測定前に加圧値を切り替えスイッチにより設定する（下記特許文献１参照）、（２）加圧中に収縮期血圧を推定し、推定された収縮期血圧に所定圧（たとえば３０ｍｍＨｇ）加算した圧を加圧値とする（下記特許文献２、３参照）、（３）前回までの測定の収縮期血圧値の平均値に所定圧（たとえば３０ｍｍＨｇ）加算した圧を加圧値とする（下記特許文献４参照）、などの方法がとられていた。
【先行技術文献】
【特許文献】
【０００８】
【特許文献１】特開昭６２−６６８３５号公報
【特許文献２】特許第２８４２６９６号公報
【特許文献３】特許第３３９３４３２号公報
【特許文献４】特開２００５−１８５６８１号公報
【発明の概要】
【発明が解決しようとする課題】
【０００９】
ところで血圧は、測定する時間、曜日、季節、環境、ストレス、疾病、生活習慣に関連する各種行動（食事、運動、喫煙、安静）などの要因によって大きく変化する。そのため、（１）の方法ではあらかじめ自分の収縮期血圧を知っておく必要があるが、前述のとおり測定の度に血圧は大きく変動しているため、前回測定した血圧値に基づいて加圧値を設定しても、必ずしも正しく設定されるとは限らない。
【００１０】
また、（３）の方法も同様であり、複数の測定結果の平均値などを用いたとしても、必ずしも正しく設定されるとは限らない。
【００１１】
また、カフ圧を減圧していく過程で血圧を算出する場合、正確な血圧測定のためには、カフ圧の加圧をできる限り高速で行う必要がある。
【００１２】
これは、加圧を低速で行った場合、動脈が完全に閉塞されるまでに測定部位より末梢側（上腕測定の場合は前腕）に血液が溜まり（鬱血）、正確な測定が不可能になるためである。そのため、加圧速度は可能な限り高速に設定されることになるが、その結果、加圧中に得られる脈波情報が少なくなり、（２）の方法では、推定される収縮期血圧の誤差は大きくなるため、加圧値を正しく設定できないことがあった。
【００１３】
この発明は、上述の問題に鑑み、血圧測定時の条件に近い過去の測定記録情報に基づいて血圧測定パラメータを補正することにより、利用者ごとに最適な血圧測定パラメータを設定可能な電子血圧計および血圧測定方法を提供し、利用者の満足度を向上させることを目的とする。
【課題を解決するための手段】
【００１４】
この発明は、血圧測定部位に装着するカフと、カフに加える圧力を調整する加圧・減圧手段と、カフ内の圧力を検出する圧力検出手段と、カフ圧により血圧値を算出する血圧算出手段と、血圧値を記録する記録手段と、血圧測定などの操作を行う操作手段を備えた電子血圧計であって、現在の血圧測定時の複数種類の各種測定条件に関連する情報を取得する条件情報取得手段を備え、前記記録手段は、前記条件情報取得手段により取得した前記血圧測定時の前記各種測定条件を血圧値とともに測定記録情報として記憶する構成であり、前記血圧測定時の各種測定条件に近い過去の測定記録情報を前記記録手段から取得する測定記録情報取得手段と、該測定記録情報取得手段により前記血圧測定時の条件に近い過去の測定記録情報を取得した場合、該測定記録情報に基づいて血圧測定パラメータを補正する補正手段とを備え、前記測定記録情報取得手段は、合致する測定条件が多い測定記録情報ほど優先的に抽出する構成である電子血圧計であることを特徴とする。
【００１５】
前記血圧測定パラメータは、加圧設定値とすることができる。  
前記血圧測定パラメータは、減圧速度とすることができる。  
前記血圧測定パラメータは、加圧速度とすることができる。  
【００１６】
前記血圧測定時の条件を設定する際に使用される測定記録は、現在の測定条件に近い測定記録のうち、最新の記録によることを特徴とすることができる。  
前記血圧測定時の条件を設定する際に使用される測定記録は、現在の測定条件に近い測定記録のうち、最新より複数個の記録の統計演算結果によることを特徴とすることができる。  
前記血圧測定時の条件を設定する際に使用される測定記録は、現在の測定条件に近い測定記録のうち、全ての記録の統計演算結果によることを特徴とすることができる。  
この発明により、利用者ごとに最適な血圧測定パラメータを設定することができる。
【００１７】
この発明の態様として、前記測定記録情報取得手段は、ある特定の条件及び他のいくつかの条件が合致する測定記録情報であっても、ある特定の他の条件が異なっていれば抽出の対象外とする構成とすることができる。
【００１８】
またこの発明の態様として、前記記録手段は、合致する測定条件と、条件が異なっていた場合に抽出対象外と判定される測定条件とを関連付けて記憶する構成とすることができる。
【００１９】
前記血圧測定時の条件は、測定場所、疾病情報、服薬状況、運動内容、生活習慣情報といった測定条件とすることができる。  
前記生活習慣情報は、食事前、食事後、運動後、喫煙後、安静（休憩）時などの各種情報とすることができる。
【００２０】
またこの発明は、カフを血圧測定部位に装着した時に前記カフに加える圧力を加圧・減圧手段により調整し、圧力検出手段により検出したカフ圧に基づいて、血圧算出手段により血圧値を算出する血圧測定方法であって、現在の血圧測定時の複数種類の各種測定条件に関連する情報を条件情報取得手段により取得するステップと、前記条件情報取得手段により取得した前記血圧測定時の前記各種測定条件を血圧値とともに測定記録情報として記録手段に記憶するステップと、前記血圧測定時の前記各種測定条件に近い過去の測定記録情報を、測定記録情報取得手段により前記記録手段から取得した場合、補正手段により、前記測定記録情報に基づいて血圧測定パラメータを補正するステップとを有し、前記測定記録情報取得手段により前記各種測定条件に近い測定記録情報を取得するステップは、合致する測定条件が多い測定記録情報ほど優先的に抽出する構成である血圧測定方法とすることができる。  
この発明により、利用者ごとに最適な血圧測定パラメータを設定する処理を実行することができる。
【００２１】
この発明の態様として、前記測定記録情報取得手段により前記各種測定条件に近い測定記録情報を取得するステップは、ある特定の条件及び他のいくつかの条件が合致する測定記録情報であっても、ある特定の他の条件が異なっていれば抽出の対象外とする構成とすることができる。
【００２２】
またこの発明の態様として、前記記録手段に記憶するステップは、合致する測定条件と、条件が異なっていた場合に抽出対象外と判定される測定条件とを関連付けて記憶する構成とすることができる。
【発明の効果】
【００２３】
この発明により、利用者ごとに最適な血圧測定パラメータを設定可能な電子血圧計および血圧測定方法を提供し、利用者の満足度を向上させることができる。
【図面の簡単な説明】
【００２４】
【図１】本発明の実施例に係る電子血圧計の構成を示すブロック図。
【図２】本発明の実施例における血圧測定動作の一例を示すフローチャート。
【図３】日時・測定値・測定条件（服薬状況）と関連づけたデータを示すテーブル。
【図４】日時・測定値・測定時気温と関連づけたデータを示すテーブル。
【図５】日時・測定値・測定条件（生活習慣情報）と関連づけたデータを示すテーブル。
【図６】日時・測定値・測定条件（測定場所）と関連づけたデータを示すテーブル。
【発明を実施するための形態】
【００２５】
以下、この発明の一実施形態を図面と共に説明する。  
【実施例】
【００２６】
本実施例の電子血圧計２６００は、図１に示すように、カフ２１０１、エア管２１０２、圧力センサ２１０３、ポンプ２１０４、弁２１０５、発振回路２１１１、ポンプ駆動回路２１１２、弁駆動回路２１１３、計時部２１１５、電源２１１６、ＣＰＵ２１２０、表示部２１２１、メモリ（処理用）２１２２、メモリ（記録用）２１２３、操作部２６３０、インターフェイス２１７１、記録媒体２１７２を備えている。  
なお、図１は、本実施例の電子血圧計２６００の構成を示すブロック図である。
【００２７】
カフ２１０１は、エア管２１０２に接続され、空気圧により加圧するために利用者の血圧測定部位に装着される帯状の部材である。
【００２８】
圧力センサ２１０３は、静電容量型の圧力センサであり、カフ内の圧力（カフ圧）に応じて容量値が変化する。
【００２９】
ポンプ２１０４、及び、弁２１０５は、カフ内に圧力を付与するとともにカフ内の圧力を調節（制御）する。  
発振回路２１１１は、圧力センサ２１０３の容量値に応じた周波数の信号を出力する。  
ポンプ駆動回路２１１２、及び、弁駆動回路２１１３は、それぞれポンプ２１０４、弁２１０５を駆動する。
【００３０】
計時部２１１５は、現在日時を計時する装置であり、必要に応じて計時した日時をＣＰＵ２１２０へ送信する。  
電源２１１６は、各構成部に電力供給を行なう。
【００３１】
ＣＰＵ２１２０は、ポンプ２１０４、弁２１０５、表示部２１２１、メモリ２１２２，２１２３、操作部２６３０、インターフェイス２１７１の制御と血圧決定処理と記録値の管理を実行する。
【００３２】
表示部２１２１は、液晶画面などの表示装置によって構成され、ＣＰＵ２１２０から送られる信号に従って血圧値を表示する。
【００３３】
メモリ（処理用）２１２２は、血圧計の制御プログラムなどを格納する。
【００３４】
メモリ（記録用）２１２３は、血圧値を記憶するとともに、日時・測定値・測定条件を関連して記憶する。
【００３５】
操作部２６３０は、電源スイッチ２１３１、測定スイッチ２１３２、停止スイッチ２１３３、記録呼び出しスイッチ２１４１に加え、測定条件を入力する測定条件入力スイッチ２６４１を備えており、血圧計の電源ＯＮ／ＯＦＦ・測定開始などの操作入力を許容し、入力された入力信号をＣＰＵ２１２０へ送る。  
インターフェイス２１７１は、ＣＰＵ２１２０の制御に従って記録媒体２１７２に対し血圧値を記録／読み出しを実行する。
【００３６】
前記測定条件入力スイッチ２６４１は、測定条件として服薬後であるか否かといった服薬状況の入力を許容可能に構成している。
【００３７】
このように構成された電子血圧計２６００を用いた血圧測定動作について、図２のフローチャートに従い説明する。  
なお、図２は、本実施例における血圧測定動作の一つを示すフローチャートである。
【００３８】
まず、血圧計の電源スイッチが押されると（ステップＳ２６０１）、ＣＰＵ２１２０は、血圧計の作業用メモリを初期化し、圧力センサ２１０３の０ｍｍＨｇ調整を行う（ステップＳ２６０２）。
【００３９】
初期化処理が終了すると、服薬後などの測定条件が入力され（ステップＳ２６０３）、測定スイッチが押下されると（ステップＳ２６０４）、ＣＰＵ２１２０は、計時部２１１５より現在日時を取得し（ステップＳ２６０５）、加圧値・加圧速度・減圧速度などの血圧測定パラメータのいずれか１つ以上を決定する（ステップＳ２６０６）。ステップＳ２６０６での血圧測定パラメータの決定方法は後述する。
【００４０】
次に、ポンプ２１０４により所定の加圧値までカフ圧を加圧する（ステップＳ２６０７〜Ｓ２６０８）。ここでの加圧速度および加圧値は、ステップＳ２６０６で決定された加圧速度および加圧値を用いる。  
所定の加圧値まで加圧した後、ＣＰＵ２１２０は、弁２１０５により徐々にカフ圧を減圧していく（ステップＳ２６０９）。ＣＰＵ２１２０は、減圧中に得られるカフ圧に重畳した動脈の容積変化に伴う圧変化成分を抽出し、所定の演算により血圧を算出する（ステップＳ２６１０）。血圧を算出した後（ステップＳ２６１１：ＹＥＳ）、ＣＰＵ２１２０は、弁２１０５を開放しカフ内の空気を排気する。ＣＰＵ２１２０は、算出した血圧値を表示部２１２１に表示するとともに（ステップＳ２６１２）、日時・測定値・測定条件（服薬状況）と関連づけてメモリ（記録用）２１２３に記録する（ステップＳ２６１３）。
【００４１】
ステップＳ２６０６では、ＣＰＵ２１２０は、血圧測定パラメータを次のようにして決定する。  
（血圧測定パラメータが加圧値である場合）  
加圧値は一般的に収縮期血圧より十分に高いカフ圧に設定する必要がある。具体的には収縮期血圧＋３０ｍｍＨｇ程度まで加圧する必要がある。  
そこで、記録されている測定データをもとに加圧値を設定する。詳しくは、ＣＰＵ２１２０は、メモリ（記録用）２１２３に記録されている図３に示すようなテーブルを呼び出す。ここで、メモリ（記録用）２１２３に記録されているテーブルとしては、図３に示すように、測定日時（図中の「ＹＹ（年）／ＭＭ（月）／ＤＤ（日）」…、「ｈｈ（時）：ｍｍ（分）」…）と、服薬状況（図中の測定条件「服薬後」）と、血圧値・脈拍数などの各測定値（図中の「ＳＹＳ１（収縮期血圧）」、「ＤＩＡ１（拡張期血圧）」、「ＰＬＳ１（脈拍数）」）とを関連付けて記録したものが用いられている。
【００４２】
そして、ＣＰＵ２１２０は、このテーブルに記録されている測定データのうち、現在の測定日時に最も近く、また／あるいは、服薬後であるか否かといった服薬状況などを示す測定条件が同一のデータを抽出する。
【００４３】
ＣＰＵ２１２０は、上記条件に合致する測定データの内、最新のデータの収縮期血圧に３０ｍｍＨｇを加算した圧力を、加圧値とする。
【００４４】
ここで前記測定日時に最も近いとは、たとえば測定月が同一である、同一週の測定である、同一曜日の測定である、同一時間の測定である、などのうち、少なくとも１つ以上の条件が一致することを示す。
【００４５】
また、上述したように、上記条件に合致する測定データの内、最新のデータの収縮期血圧を用いるに限らず、上記条件に合致する複数の測定データの収縮期血圧の平均値を用い、該平均値に３０ｍｍＨｇを加算した圧力を加圧値としても良い。
【００４６】
もしくは、上記条件に合致する複数の測定データの収縮期血圧の代表値を用い、該代表値に３０ｍｍＨｇを加算した圧力を加圧値としてもよい。  
ここでの代表値とは、複数データの最大値、中央値などとすれば良い。
【００４７】
さらにまた、血圧計の初回使用時など、測定条件に合致する測定データが存在しない場合は、予め決定されている加圧値（たとえば１８０ｍｍＨｇ）を設定すればよい。または、前記特許文献２、３に記載されているように、加圧中に収縮期血圧を推定し、その推定値に３０ｍｍＨｇを加算した圧力値としてもよい。
【００４８】
（血圧測定パラメータが減圧速度である場合）  
減圧速度は、脈波振幅情報が血圧算出に必要な数だけ過不足なく取得できる速度に設定する必要がある。この脈波振幅情報の必要な数は、特許第３１４９８７３号公報に記載されているように、５個以上が妥当である。これを満足する減圧速度も同特許番号に記載されているように、収縮期血圧（ＳＹＳ）、拡張期血圧（ＤＩＡ）、脈拍数（ＰＬＳ）より算出可能である。
【００４９】
そこで、加圧値と同様に、記録されている測定データより現在の測定日時に最も近く、また／あるいは、測定条件が同一のデータを抽出し、このデータに記録されている収縮期血圧、拡張期血圧、脈拍数をもとにして減圧速度を算出すればよい。
【００５０】
加圧値同様に、血圧計の初回使用時など、測定条件に合致する測定データが存在しない場合は、予め決定されている減圧速度（たとえば５．５ｍｍＨｇ／ｓｅｃ）を設定すればよい。または、特許第３１４９８７３号公報に記載されているように、加圧中に収縮期血圧、拡張期血圧、脈拍数を推定し、その推定値より算出した減圧速度としてもよい。
【００５１】
本実施例の血圧計は、減圧中に血圧を算出する方式としているが、加圧中に血圧を算出する方式の血圧計にも適用可能である。  
その場合、減圧速度ではなく加圧速度を決定すればよい。決定の方法は減圧速度と同様であるため、その説明を省略する。
【００５２】
また、血圧は、測定する際の気温など、周辺環境によって変化する。そこで、前述した電子血圧計では、服薬状況を測定条件として血圧を測定したが、測定条件は、服薬状況に限らず、例えば、測定日時、又は、測定時の気温であってもよい。この場合、例えば、図４に示すように、測定日時と、測定時における気温（図中の測定時気温「２５℃」…）と、血圧値・脈拍数などの各測定値とを関連付けたテーブルをメモリ２１２３に記録する。なお、気温は、日（季節）、時間によって変化するものであるため、メモリ２１２３には、測定日時と各測定値のみを関連付けて記録してもよい。
【００５３】
また、この場合、測定条件入力スイッチ２６４１を用いて利用者が気温の情報を入力するような構成としてもよいし、電子血圧計２６００に温度計測手段を内蔵させ、該手段の検出結果に基づいて気温の情報を取得するような構成としてもよい。
【００５４】
また、前記測定条件は、服薬状況に限らず、例えば、服用している薬の種類など服薬に関する情報であってもよく、さらにまた、該服薬情報、測定場所、疾病情報、どのような運動をどの程度行なったかといった運動内容情報、食事、運動、喫煙、安静（休憩）などに関連する生活習慣情報のうち、少なくとも１つを測定条件として用いることができるよう構成してもよい。この場合、測定条件入力スイッチ２６４１は、上述した各種情報が入力可能となるよう構成されている。
【００５５】
例えば、血圧は、生活習慣に関連する各種行動によって変化し、食事前と食事後、運動後と安静時、喫煙前と喫煙後とでは血圧に差が生じる。そこで、メモリ２１２３に記録するテーブルとして、図５に示すように、測定日時（図中の「Ｙ１（年）／Ｍ１（月）／Ｄ１（日）」…、「ｈ１（時）：ｍ１（分）」…）と、生活習慣情報（図中の測定条件「食事後」、「運動後」、「喫煙後」、「安静時」…）と、血圧値・脈拍数などの各測定値とを関連付けたものを用いてもよい。
【００５６】
また、血圧は、利用者が測定時に受ける精神的なストレスによって差が生じる。このため、血圧は、測定条件の１つである測定場所によっても差が生じると考えられる。例えば、自宅にいる時はストレスがさほどかかっていないリラックス状態にある一方、勤務先では大きなストレスがかかっている状態にあることが多く、それ故自宅で血圧測定を行なう時と勤務先で血圧測定を行なう時とでは測定結果に差が生じる可能性がある。
【００５７】
そこで、メモリ２１２３に記録するテーブルとして、図６に示すように、測定日時と、測定場所（図中の測定場所「自宅」、「勤務先」、「病院」…）と、血圧値・脈拍数などの各測定値とを関連付けたものを用いてもよい。
【００５８】
以上説明したように、血圧値を測定する生体情報取得手段と、血圧値を記録する記録手段（メモリ２１２３）と、血圧計の制御プログラムなど格納する手段（メモリ２１２２）と、血圧測定などの操作を行う操作手段（操作部２６３０）と、前記生体情報取得手段により取得する生体情報を別途取得する補正用情報に基づいて補正する補正手段（ＣＰＵ２１２０）と、該補正後の補正後情報（血圧値）を出力する出力手段（表示部２１２１）とを備え、血圧測定部位に装着するカフ２１０１と、カフ２１０１に加える圧力を調整する加圧・減圧手段２１０４，２１０５と、カフ内の圧力を検出する圧力検出手段（圧力センサ２１０３）と、カフ圧により血圧値を算出する血圧算出手段（ＣＰＵ２１２０）を備えた電子血圧計２６００であって、現在の血圧測定時の条件に関連する情報を取得する条件情報取得手段（測定条件入力スイッチ２６４１）を備え、前記記録手段は、前記条件情報取得手段により取得した前記血圧測定時の条件を血圧値とともに測定記録情報として記憶する構成であり、前記補正用情報として、血圧測定時の条件に近い過去の測定記録情報を前記記録手段から取得する測定記録情報取得手段（ステップＳ２６０６を実行するＣＰＵ２１２０）を備え、前記補正手段（ステップＳ２６０６を実行するＣＰＵ２１２０）は、血圧測定時の条件に近い過去の測定記録情報に基づいて血圧測定パラメータを補正する構成である。
【００５９】
前記構成により、利用者ごとに最適な血圧測定パラメータを設定可能という効果が得られる。
【００６０】
また、前記血圧測定時の条件を、測定日時、又は、測定時の気温として、血圧測定パラメータを補正することにより、測定時の周辺環境（ここでは気温）の違いによる血圧の変化に応じて適切な血圧測定パラメータを設定することができる。
【００６１】
また、前記条件情報取得手段として、操作部２６３０に、前記血圧測定時の条件を入力する入力手段としての測定条件入力スイッチ２６４１を設け、該測定条件入力スイッチ２６４１に入力した前記条件を血圧値とともにメモリ２１２３に記録する構成としたことにより、血圧が変化する要因に関連性のある各種情報を容易に取得することができ、これによって各要因を考慮した適切な血圧測定パラメータを設定することができる。
【００６２】
なお、本実施例では、血圧測定時の条件である服薬状況、気温、生活習慣情報、測定場所などの中から１つのものに着目して血圧測定パラメータを補正することとしたが、必ずしもこれに限定されるものではなく、上述した各種測定条件のいくつかを組合せてもよい。この場合、様々な測定条件が合致した測定記録情報を用いることで、より適切な血圧測定パラメータを設定することができる。
【００６３】
このように、複数の測定条件が合致した測定記録情報を用いる構成とする場合には、合致する測定条件が多い測定記録情報ほど優先的に抽出するようにすればよい。
【００６４】
但し、例えば、服薬状況やその他いくつかの測定条件が合致していたとしても、測定時間（朝、夜）や、測定のタイミング（食事後、食事前など）が異なっていれば、血圧値に差が生じる可能性がある。
【００６５】
そこで、ある特定の条件及び他のいくつかの条件が合致する測定記録情報であっても、ある特定の他の条件が異なっていれば抽出の対象外とするようにしてもよい。この場合、合致する測定条件と、条件が異なっていた場合に抽出対象外と判定される測定条件とを関連付けたテーブルをメモリ２１２３などに記録し、ＣＰＵ２１２１は、抽出対象外と判定される測定条件が異なっていた場合、その測定記録情報を抽出対象外と判定すればよい。
【００６６】
本実施例の電子血圧計２６００は、上述したように、前記操作手段（操作部２６３０）に、測定条件を入力する入力手段（測定条件入力スイッチ２６４１）を設け、測定場所、疾病情報、服薬状況、運動といった測定条件を血圧値とともに前記記録手段（メモリ２１２２，２１２３）に記録することができる。
【００６７】
この発明は、上述の実施形態の構成のみに限定されるものではなく、多くの実施の形態を得ることができる。
【００６８】
例えば、電子血圧計２６００は、専用のサーバから適宜のパラメータ、閾値、アルゴリズムなどをダウンロードして機能を拡張できるように構成してもよい。この場合、ハードウェアはそのままでソフトウェアをバージョンアップすることや、利用者自身に最適化することを容易に実現できる。
【００６９】
また、電子血圧計２６００の機能拡張は、前記サーバを用いず、利用者が所有するパーソナルコンピュータ等のユーザ端末から実行する構成にしてもよい。この場合、ＣＤ−ＲＯＭなどの記録媒体からパラメータ、閾値、アルゴリズムなどをダウンロードする構成にしてもよい。
【００７０】
また、電子血圧計２６００を、体組成計、歩数計、電子体温計といった他の生体情報取得装置と直接無線または有線で通信可能に接続してもよい。この場合も、相互にデータを送受信して個々の精度を向上させることができる。
【産業上の利用可能性】
【００７１】
この発明は、カフを用いるオシロメトリック方式、または、マイクロホン方式を採用した電子血圧計に利用することができる。
【符号の説明】
【００７２】
２６００…電子血圧計、２１０１…カフ、２１０３…圧力センサ、２１０４…ポンプ、２１０５…弁、２１１５…計時部、２１２０…ＣＰＵ、２１２１…表示部、２１２２…メモリ（処理用）、２１２３…メモリ（記録用）、２６３０…操作部、２６４１…測定条件入力スイッチ
【手続補正２】
【補正対象書類名】特許請求の範囲
【補正対象項目名】全文
【補正方法】変更
【補正の内容】
【特許請求の範囲】
【請求項１】
血圧測定部位に装着するカフと、カフに加える圧力を調整する加圧・減圧手段と、カフ内の圧力を検出する圧力検出手段と、カフ圧により血圧値を算出する血圧算出手段と、
血圧値を記録する記録手段と、血圧測定などの操作を行う操作手段を備えた電子血圧計であって、
現在の血圧測定時の複数種類の各種測定条件に関連する情報を取得する条件情報取得手段を備え、
前記記録手段は、前記条件情報取得手段により取得した前記血圧測定時の前記各種測定条件を血圧値とともに測定記録情報として記憶する構成であり、
前記血圧測定時の各種測定条件に近い過去の測定記録情報を前記記録手段から取得する測定記録情報取得手段と、
該測定記録情報取得手段により前記血圧測定時の条件に近い過去の測定記録情報を取得した場合、該測定記録情報に基づいて血圧測定パラメータを補正する補正手段とを備え、
前記測定記録情報取得手段は、
合致する測定条件が多い測定記録情報ほど優先的に抽出する構成である
電子血圧計。
【請求項２】
前記測定記録情報取得手段は、
ある特定の条件及び他のいくつかの条件が合致する測定記録情報であっても、ある特定の他の条件が異なっていれば抽出の対象外とする構成である
請求項１記載の電子血圧計。
【請求項３】
前記記録手段は、
合致する測定条件と、条件が異なっていた場合に抽出対象外と判定される測定条件とを関連付けて記憶する構成である
請求項２記載の電子血圧計。
【請求項４】
カフを血圧測定部位に装着した時に前記カフに加える圧力を加圧・減圧手段により調整し、圧力検出手段により検出したカフ圧に基づいて、血圧算出手段により血圧値を算出する血圧測定方法であって、
現在の血圧測定時の複数種類の各種測定条件に関連する情報を条件情報取得手段により取得するステップと、
前記条件情報取得手段により取得した前記血圧測定時の前記各種測定条件を血圧値とともに測定記録情報として記録手段に記憶するステップと、
前記血圧測定時の前記各種測定条件に近い過去の測定記録情報を、測定記録情報取得手段により前記記録手段から取得した場合、補正手段により、前記測定記録情報に基づいて血圧測定パラメータを補正するステップとを有し、
前記測定記録情報取得手段により前記各種測定条件に近い測定記録情報を取得するステップは、合致する測定条件が多い測定記録情報ほど優先的に抽出する構成である
血圧測定方法。
【請求項５】
前記測定記録情報取得手段により前記各種測定条件に近い測定記録情報を取得するステップは、
ある特定の条件及び他のいくつかの条件が合致する測定記録情報であっても、ある特定の他の条件が異なっていれば抽出の対象外とする構成である
請求項４記載の血圧測定方法。
【請求項６】
前記記録手段に記憶するステップは、
合致する測定条件と、条件が異なっていた場合に抽出対象外と判定される測定条件とを関連付けて記憶する構成である
請求項５記載の血圧測定方法。
【手続補正３】
【補正対象書類名】図面
【補正対象項目名】全図
【補正方法】変更
【補正の内容】
【図１】
2010073692.tif 000009
【図２】
2010073692.tif 000010
【図３】
2010073692.tif 000011
【図４】
2010073692.tif 000012
【図５】
2010073692.tif 000013
【図６】
2010073692.tif 000014
【国際調査報告】
2010073692.tif 000015
2010073692.tif 000016